(57)【要約】【課題】  ゴルフクラブヘッドを提供する。【解決手段】  ゴルフクラブヘッドは、本体と、フランジ部を含む前部凹部とを有する。本体の後部部分は周縁重量要素を含む。打撃面挿入物は前部凹部内に固定される。フェースセンタは、打撃面挿入物の前面に配置される。後部空洞は、周縁重量要素および打撃面挿入物の後面によって少なくとも部分的に範囲を限定される。後部挿入物は、打撃面挿入物の後面に固定される。後部挿入物の一部分を通る架空の水平面において、クラブヘッドのヒール部分に近接して、後部挿入物の最もヒール寄りの点は、フランジ部と垂直中心面との間の最小距離よりも垂直中心面から遠くに離間する。クラブヘッドは、後部空洞から外側に延びる補助凹部を含む。【選択図】      図１ａ
2014033968.tif 000002
【特許請求の範囲】
【請求項１】
基準位置に向きを合わされた場合に、
前部部分、後部部分、トップ部分、ソール部分、ヒール部分、トウ部分、および前記前部部分から前記後部部分に向かって延びる前部凹部を有する本体であって、前記前部凹部はフランジ部を含み、前記後部部分は周縁重量要素を含む、本体と、
前記前部凹部内に固定され、前面および後面を有する打撃面挿入物であって、架空の打撃面平面とほぼ同一平面上にある打撃面挿入物と、
前記打撃面挿入物の前記前面に配置されたフェースセンタと、
前記周縁重量要素および前記打撃面挿入物の前記後面によって少なくとも部分的に範囲を限定された後部空洞と、
前記打撃面挿入物の前記後面に固定された後部挿入物と、
前記打撃面平面に対して垂直であり、前記フェースセンタを通る架空の垂直中心面と、を含むゴルフクラブヘッドであって、
前記後部挿入物の一部分を通る架空の水平面において、
前記後部挿入物は、最もヒール寄りの点と、前記最もヒール寄りの点と反対側の最もトウ寄りの点とを含み、
前記ヒール部分に近接して、前記後部挿入物の前記最もヒール寄りの点は、前記フランジ部と前記垂直中心面との間の最小距離よりも前記垂直中心面から遠くに離間し、前記ゴルフクラブヘッドは、前記後部空洞と交差し、前記後部空洞から外側に延びる補助凹部を含む、ゴルフクラブヘッド。
【請求項２】
前記打撃面挿入物は、溶接プロセスによって前記前部凹部内に固定される、請求項１に記載のゴルフクラブヘッド。
【請求項３】
前記打撃面挿入物は、ステンレス鋼、チタン、アルミニウム、銅、金属合金、ポリマー、および繊維強化ポリマーの少なくとも１つを含む、請求項２に記載のゴルフクラブヘッド。
【請求項４】
前記後部挿入物は、前記打撃面挿入物に近接した後部挿入物前面と、前記打撃面挿入物から離れた後部挿入物後面とをさらに含み、
第１の段部が、前記打撃面挿入物の前記後面と前記ヒール部分に近接した前記フランジ部との接合によって形成され、
前記第１の段部に対して相補的な第２の段部が、前記後部挿入物前面に配置される、請求項１に記載のゴルフクラブヘッド。
【請求項５】
前記後部挿入物は、前記本体の硬度よりも低い硬度を有する材料を含む、請求項１に記載のゴルフクラブヘッド。
【請求項６】
前記後部挿入物は、粘弾性材料、金属、ポリマー、および繊維強化ポリマーの少なくとも１つを含む、請求項５に記載のゴルフクラブヘッド。
【請求項７】
前記本体の前記トップ部分は複数の面取りを含む、請求項１に記載のゴルフクラブヘッド。
【請求項８】
前記ヒール部分に近接して、前記フランジ部と前記垂直中心面との間の最小距離は、約０．２インチ〜約１．７５インチである、請求項１に記載のゴルフクラブヘッド。
【請求項９】
前記架空の水平面において、
前記周縁重量要素のヒール拡張部は、前記垂直中心面から最小距離ｄ１だけ離間し、
前記後部挿入物の前記最もヒール寄りの点は、ｄ１より大きい最小距離ｄ２だけ前記垂直中心面から離間する、請求項１に記載のゴルフクラブヘッド。
【請求項１０】
前記フランジ部は、約０．０２インチ〜約０．０８インチの厚さを有する、請求項１に記載のゴルフクラブヘッド。
【請求項１１】
前記架空の水平面は前記フェースセンタを通る、請求項１に記載のゴルフクラブヘッド。
【請求項１２】
ゴルフクラブヘッドの製造方法であって、
少なくとも一部において、本体が、前部部分、後部部分、トップ部分、ソール部分、ヒール部分、トウ部分、および前記前部部分から前記後部部分に向かって延びる前部凹部を有するようにすることと、
少なくとも一部において、前記前部凹部がフランジ部を含み、前記後部部分が、トップ部分、ソール部分、ヒール部分、およびトウ部分を有する周縁重量要素を含むようにすることと、
少なくとも一部において、打撃面挿入物を前記前部凹部内に固定して、前記本体の前記前部部分と同一平面上にあるようにし、前記打撃面挿入物は、前面、後面を有し、架空の打撃面平面とほぼ同一平面上にあることと、
少なくとも一部において、フェースセンタを前記打撃面挿入物の前記前面に配置することと、
少なくとも一部において、前記周縁重量要素および前記打撃面挿入物の前記後面によって少なくとも部分的に範囲を限定される後部空洞を形成することと、
少なくとも一部において、後部挿入物を前記打撃面挿入物の前記後面に固定することと、
を含み、
前記ゴルフクラブヘッドが基準位置にある場合に、前記打撃面平面に対して垂直に配置された架空の垂直中心面が、前記後部挿入物の一部分を通る架空の水平面において、前記打撃面挿入物のフェースセンタを通り、
前記後部挿入物は、最もヒール寄りの点と、前記最もヒール寄りの点と反対側の最もトウ寄りの点とを含み、
前記ヒール部分に近接して、前記後部挿入物の前記最もヒール寄りの点は、前記フランジ部と前記垂直中心面との間の最小距離よりも前記垂直中心面から遠くに離間し、前記ゴルフクラブヘッドは、前記後部空洞と交差し、前記後部空洞から外側に延びる補助凹部を含む、ゴルフクラブヘッドの製造方法。
【請求項１３】
少なくとも一部において、前記打撃面挿入物を溶接プロセスによって前記前部凹部内に固定することをさらに含む、請求項１２に記載のゴルフクラブヘッドの製造方法。
【請求項１４】
前記打撃面挿入物は、ステンレス鋼、チタン、アルミニウム、銅、金属合金、ポリマー、および繊維強化ポリマーの少なくとも１つを含む、請求項１３に記載のゴルフクラブヘッドの製造方法。
【請求項１５】
少なくとも一部において、前記後部挿入物が、前記打撃面挿入物に近接した後部挿入物前面と、前記打撃面挿入物から離れた後部挿入物後面とを含むようにすることと、
少なくとも一部において、前記打撃面挿入物と前記ヒール部分に近接した前記フランジ部との接合により、第１の段部を形成することと、
少なくとも一部において、前記第１の段部に対して相補的な第２の段部を前記後部挿入物前面に配置することと、
をさらに含む、請求項１２に記載のゴルフクラブヘッドの製造方法。
【請求項１６】
前記後部挿入物は、前記本体の硬度よりも低い硬度を有する材料を含む、請求項１２に記載のゴルフクラブヘッドの製造方法。
【請求項１７】
前記後部挿入物は、粘弾性材料、金属、ポリマー、および繊維強化ポリマーの少なくとも１つを含む、請求項１６に記載のゴルフクラブヘッドの製造方法。
【請求項１８】
少なくとも一部において、前記本体の前記トップ部分が、複数の面取りを有するようにすることをさらに含む、請求項１２に記載のゴルフクラブヘッドの製造方法。
【請求項１９】
前記ヒール部分に近接して、前記フランジ部と前記垂直中心面との間の最小距離は、約０．２インチ〜約１．７５インチである、請求項１２に記載のゴルフクラブヘッドの製造方法。
【請求項２０】
前記架空の水平面において、
前記周縁重量要素のヒール拡張部は、前記垂直中心面から最小距離ｄ１だけ離間し、
前記後部挿入物の前記最もヒール寄りの点は、ｄ１より大きい最小距離ｄ２だけ前記垂直中心面から離間する、請求項１２に記載のゴルフクラブヘッドの製造方法。
【請求項２１】
前記フランジ部は、約０．０２インチ〜約０．０８インチの厚さを有する、請求項１２に記載のゴルフクラブヘッドの製造方法。
【発明の詳細な説明】
【技術分野】
【０００１】
本発明はゴルフクラブヘッドおよびその製造方法に関する。
【０００２】
（著作権許諾）
以下の開示は著作権保護の対象となり得る。著作権所有者は、特許庁に記録が残る場合、この開示を含む文献の、何人による複製にも異議を唱えないが、それ以外については、適用可能なすべての著作権を保有する。
【背景技術】
【０００３】
ゴルフクラブヘッドは、例えば、ゴルフクラブヘッドの本体に取り付けられた打撃面挿入物を含むことが多い。従来の一体型ゴルフクラブヘッドは通常、一部の複数構成要素構造を有するゴルフクラブヘッドと比較して、オフセンタショット時の強い衝撃感、または重量の増大を伴うことが多い剛性金属打撃面を含む。しかし、本体の材料よりも硬質の、または軟質の材料からなる打撃面を含むことによって、望ましくない振動を減ずる、自由裁量重量を重くする、かつ／またはゴルフクラブの性能を全体的に改良するために、様々な材料からなる挿入物がゴルフクラブヘッドの打撃面として使用され得る。
【０００４】
ゴルフクラブ設計における最近の傾向として、ゴルフクラブメーカは、慣性モーメントを大きくするために、より多くの質量をクラブヘッドの中心から外側後方に移動させている。例えば、これは、アイアンタイプのゴルフクラブヘッドにおいて、主（または後部）空洞のまわりに配置された周縁重量要素を形成することで行われることが多い。場合によっては、主または後部空洞を前方向に広がるように構成することで、あるいは、例えば、アンダーカット凹部を形成するなど、主または後部空洞と交差し、この空洞（キャビティともいう）から外側に延びるさらなる凹部（リセス、窪みともいう）を形成することで、さらに多くの質量を優先的に移動させる。
【発明の概要】
【発明が解決しようとする課題】
【０００５】
しかし、ヒール部分に近接して主または後部空洞が広がることで、打撃面挿入物を含むクラブヘッドに問題が生じる。そのような挿入物は、限られた範囲内で打撃面に固定されなければならないので、特に、溶接する場合に、打撃面挿入物と残りのクラブヘッド本体との間の接合部が後ろから見えるようになることが多い。これは、自身の用具に対するゴルファの信頼に影響を及ぼすだけでなく、後部装入物をクラブヘッドの後部に配置するのを困難にする。例えば、打撃面挿入物が溶接プロセスで取り付けられる場合、主または後部空洞の拡張部は部分的に閉鎖されるので、溶接領域に近接したクラブヘッドの表面をクラブヘッドの後ろから（例えば、研磨することで、または選択的に粗面化することで）調整するのは困難である。この研磨不足により、美観上魅力のないものとなるだけでなく、後部挿入物の取り付けも困難となる。
【課題を解決するための手段】
【０００６】
本発明の特定の実施形態は、１つまたは複数の態様において、有利には、基準位置に向きを合わされた場合に、前部部分、後部部分、トップ部分、ソール部分、ヒール部分、トウ部分、および前部部分から後部部分に向かって延びる前部凹部を有する本体を含むゴルフクラブヘッドを含む。前部凹部は、ほぼ平面状の取付面を含み、取付面の一部分はフランジ部に組み込まれる。後部部分は、周縁重量要素を含む。打撃面挿入物は、前部凹部内に固定され、前面および後面を有する。打撃面挿入物は、架空の打撃面平面とほぼ同一平面上にある。フェースセンタは、打撃面挿入物の前面に配置される。後部空洞は、周縁重
量要素および打撃面挿入物の後面によって少なくとも部分的に範囲を限定される。後部挿入物は、打撃面挿入物の後面に固定される。架空の垂直中心面は打撃面平面に垂直であり、フェースセンタを通る。後部挿入物の一部分を通る架空の水平面において、後部挿入物は、最もヒール寄りの点と、最もヒール寄りの点と反対側の最もトウ寄りの点とを含む。さらに、この平面において、ヒール部分に近接して、後部挿入物の最もヒール寄りの点は、フランジ部の最も中心に近い点よりも中心面から遠くに離間する。さらに、この平面において、クラブヘッドは、後部空洞と交差し、後部空洞から外側に延びる補助凹部を含む。
【０００７】
下記に詳細に説明される様々な実施例の１つまたは複数によって提示される、様々な態様の本発明によるゴルフクラブヘッドの上記および他の特徴および利点が、以下の説明、添付図面、および添付の特許請求の範囲を検討すると明らかになるであろう。添付図面は、単に例示を目的としており、本発明の範囲を限定することを意図するものではない。
【０００８】
添付図面の図解において、本発明が、１つまたは複数の態様で、限定としてではなく例として示される。
【図面の簡単な説明】
【０００９】
【図１ａ】１つの例示的な実施形態によるゴルフクラブヘッドの後部斜視図である。
【図１ｂ】１つの例示的な実施形態による、図１ａのゴルフクラブヘッドの背面図である。
【図１ｃ】１つの例示的な実施形態による、図１ａのゴルフクラブヘッドの正面図である。
【図１ｄ】１つの例示的な実施形態による、図１ａのゴルフクラブヘッドのＢ−Ｂ’面での断面図である。
【図１ｅ】１つの例示的な実施形態による、図１ａのゴルフクラブヘッドのＡ−Ａ’面での断面図である。
【図１ｆ】１つの例示的な実施形態による、図１ａのゴルフクラブヘッドのトウ側立面図である。
【図２】１つの例示的な実施形態による、図１ａのゴルフクラブヘッドの分解斜視図である。
【図２ａ】１つの例示的な実施形態による、図２のゴルフクラブヘッドの本体の斜視図である。
【図３】１つの例示的な実施形態による、図１ａのゴルフクラブヘッドのＡ−Ａ’断面での断面図である。
【図３ａ】１つの例示的な実施形態による、図１ａのゴルフクラブヘッドのＡ−Ａ’断面での部分断面図である。
【図４】１つの例示的な実施形態による、ゴルフクラブヘッドの製造方法を示すフローチャートである。
【発明を実施するための形態】
【００１０】
例示するために、これらの図は、必ずしも一定の縮尺で作図されていない。すべての図において、同じまたは同様の要素は、同じ参照数字で示される。
【００１１】
下記に開示する、本発明によるゴルフクラブヘッドの新規かつ非自明である、１つまたは複数の態様および特徴の典型的な例は、いかなる形でも限定することを意図するものではない。さらに、本発明の様々な態様および特徴は、単独か、または新規かつ非自明な互いの各種組み合わせ、および部分的組み合わせで使用することができる。
【００１２】
上述の通り、主空洞と交差し、主空洞から外側に延びる凹部（例えば、アンダーカット
凹部）を有する、周縁を重くしたアイアンクラブヘッドがより普及するようになったのに伴い、クラブメーカは、慣性モーメントを大きくし、それにより、オフセンタショットに対するクラブヘッドの許容度を高めるために、より多くの質量をクラブヘッドの中心から外側後方に移動させようとしている。アンダーカット凹部は、ソール部分に近接するだけでなく、ゴルフクラブヘッドのヒールおよびトウ部分にも近接し、場合によっては、ゴルフクラブヘッドのトップ部分に近接して形成することができる。言い換えると、「全周アンダーカット凹部」が可能である。
【００１３】
しかし、アンダーカット凹部がヒール部分に近接することで、打撃面挿入物を有するクラブヘッドに問題が生じる。打撃面挿入物および残りのクラブヘッド本体が接合される領域は、後ろから見た場合に見えるようになることが多い。これは、自身の用具に対するゴルファの信頼に影響を及ぼすだけでなく、クラブヘッドの後部上の後部挿入物、または振動吸収飾り板などの配置を制限する。例えば、打撃面挿入物が溶接プロセスで取り付けられる場合、後部空洞凹部は部分的に閉鎖されるので、溶接領域を（例えば、研磨および／または粗面化により）調整するのは困難である。この調整不足は、美観上魅力のないものにするだけでなく、後部挿入物の取り付けを困難にする。
【００１４】
１つまたは複数の実施形態では、および図１ａ〜１ｄに例として示すように、ゴルフクラブヘッド１００は、アイアンタイプのゴルフクラブヘッドである。ただし、ゴルフクラブヘッド１００が、アイアンタイプのゴルフクラブヘッドとして図示されているが、ゴルフクラブヘッド１００は、例えば、アイアンタイプ、パタータイプ、ウッドタイプ、ハイブリッドタイプなどの任意のものとすることができることを指摘しておく。さらに、ゴルフクラブヘッド１００は、右利き用のゴルフクラブヘッドとして図示されているが、ゴルフクラブヘッド１００上の任意の位置に対する言及はいずれも、左利き用のゴルフクラブヘッドに反映および適用することができることを指摘しておく。
【００１５】
図１ａは、後ろから全体的に見たゴルフクラブヘッド１００の斜視図を示している。１つまたは複数の実施形態では、ゴルフクラブヘッド１００は、トップ部分１０２、ソール部分１０４、ヒール部分１０６、トウ部分１０８、前部部分１０９、および後部部分１１１を有する。図１ａ〜１ｅを参照すると、ゴルフクラブヘッド１００はまた、ヒール部分１０６に近接したホーゼル１１０を有する本体１０１と、打撃面１１２と、主または後部空洞１０３と、主または後部空洞１０３に隣接し、主または後部空洞１０３から外側に延びる補助凹部１０５とを有する。本体１０１は、任意の金属、ポリマー、セラミック、繊維強化ポリマー、またはそれらの任意の組み合わせで構成することができる。例えば、本体１０１は、４３１ステンレス鋼、１７−４ステンレス鋼などのステンレス鋼、チタン、または６−４チタンなどのチタン合金で構成することができる。本体１０１は、例えば、鋳造、フライス、切削、または鍛造加工のいずれか、あるいはそれらの任意の組み合わせで形成することができる。ゴルフクラブヘッド１００は、下記に説明するように、主または後部空洞１０３の少なくとも一部分を埋め、本体１０１および打撃面挿入物１１４の背面の１つまたは複数に取り付けられた後部挿入物１１６をさらに含む。
【００１６】
図１ｂは、ゴルフクラブヘッド１００の背面図を示している。上記のように、ゴルフクラブヘッド１００は、後部空洞１０３の少なくとも一部分を埋め、本体１０１および打撃面挿入物１１４の１つまたは複数に取り付けられた後部挿入物１１６をさらに含む。後部挿入物１１６は、複数の目的を果たすことができる。例えば、一部の実施形態では、後部挿入物１１６は、例えば、使用者がオフセンタショット時に感じることがある異質の振動を減衰させるように、またはゴルフショット時にゴルフクラブヘッド１００の感触を高めるように特に設計された振動吸収飾り板とすることができる。そのような実施形態では、後部挿入物１１６は、本体１０１の材料よりも硬度および／または比重が低い１つまたは複数の材料を含むことができる。一部の実施形態では、後部挿入物１１６は、代替案とし
て、またはそれに加えて、ゴルフボールをインパクトしたときのゴルフクラブの音響特性を向上させるように本体１０１に固定することができる。後部挿入物１１６はまた、ゴルフクラブヘッド１００のスイングウエートを調整することも、個別に変更するための手段を提供することもできる。
【００１７】
上記を受けて、後部挿入物１１６は、ゴム、エラストマー、ポリマー、金属、粘弾性材料、または、それらの任意の組み合わせ、例えば、それらに限定されるものではないが、ゴム裏当てを有するアルミニウム係留装置（ａｌｕｍｉｎｕｍ  ｃａｐｔｉｖｅ  ａｒｒａｎｇｅｍｅｎｔ）、もしくはアルミニウムトレーシング（ａｌｕｍｉｎｕｍ  ｔｒａｃｉｎｇ）を有するゴムなどのいずれかを含むことができる。
【００１８】
様々な実施形態による図１ｂ〜１ｅを参照すると、本体１０１は、トップ部分１１７ａ、ソール部分１１７ｂ、ヒール部分１１７ｃ、およびトウ部分１１７ｄを有する周縁重量要素１１７を有する。示すように、周縁重量要素１１７の様々な部分は、後部空洞１０３を少なくとも部分的に形成している。一部の実施形態では、補助凹部１０５が、後部空洞１０３から外側に延び、後部空洞１０３と交差している。
【００１９】
図１ｃおよび図１ｆは、基準位置にあるゴルフクラブヘッド１００を示している。図１ｆに示すように、架空の打撃面平面１１３が、打撃面１１２とほぼ同一平面上にある。さらに、ホーゼル軸１２０が、架空のホーゼル面１２１内にある。本明細書において、「基準位置」という用語は、架空のホーゼル面１２１が地面１１８に対して垂直であり、ホーゼル面１２１が、架空の打撃面平面１１３に対して平行な架空の水平線１２２を含むゴルフクラブヘッド１００の位置を意味する。別途指摘されない限り、本明細書のすべてのパラメータは、基準位置にあるゴルフクラブヘッド１００で規定される。
【００２０】
再度図１ｃを参照すると、第１のＡ−Ａ’断面は、地面１１８に対して平行に延び、後部挿入物１１６の一部分を通る。第２のＢ−Ｂ’断面は、地面１１８に対して垂直であり、後部挿入物１１６の一部分を通る（図１ａを参照のこと）。この実施形態では、第１のＡ−Ａ’断面および第２のＢ−Ｂ’断面は、フェースセンタ４０３を通る。
【００２１】
本明細書において、フェースセンタとは、クラブヘッドにスコアライン（スコアリング、マーキングともいう）がない場合に、クラブヘッドの前部部分のほぼ平面状の部分の幾何学中心を意味する。前部部分に配置されたスコアライン、例えば、スコアライン１２５を有するクラブヘッドの場合、フェースセンタ、例えば、フェースセンタ４０３とは、スコアラインの最もヒール寄りの限界と最もトウ寄りの限界との間の中間と、スコアラインの最上部限界と最下部限界との間の中間とに位置する点を意味し、この点は、場合によっては、クラブヘッドの前部部分のほぼ平面状の部分の幾何学中心とは異なることがある。
【００２２】
図１ｄに示すように、補助凹部１０５は、後部空洞１０３からソール部分１０４の底面１０４ａに向かって延び、後部空洞１０３と交差している。さらに、補助凹部１０５は、後部空洞１０３からトップ部分１０２の上側面１０２ａに向かって延び、後部空洞１０３と交差している。さらに、図１ｅに示すように、補助凹部１０５は、後部空洞１０３から延びてヒール部分１０６およびトウ部分１０８に近接し、後部空洞１０３と交差している。一部の実施形態では、単一の連続する補助凹部１０５が後部空洞１０３の周縁のまわりに延びる。一方、他の実施形態では、後部空洞１０３の様々な部分から外側に延びる、複数の分離した補助凹部が形成される。一部の実施形態では、補助凹部１０５は、後部空洞１０３から外側に延びて、ヒール部分１０６に近接するのみである。他の実施形態では、補助凹部１０５は、後部空洞１０３から外側に延びて、ヒール部分１０６、ならびにトップ部分１０２およびソール部分１０４の少なくとも１つに近接するが、トウ部分１０８には近接しない。
【００２３】
特に図１ｄを参照すると、１つまたは複数の実施形態では、ゴルフクラブヘッド１００のトップ部分１０２は、少なくとも、第１の面取り１０７ａと、第１の面取り１０７ａに隣接した第２の面取り１０７ｂとを含む。複数の面取りを設けることで、後ろから全体的に見た場合に、ゴルフクラブヘッド１００の表面での光の反射により、トップ部分１０２が実際よりも薄く見える。そのような特徴部により、ゴルフクラブヘッド１００がより支持的（ｓｕｐｐｏｒｔｉｖｅ）となり、多くの場合、より許容的（ｆｏｒｇｉｖｉｎｇ）となることができる。また、複数の面取りを有することで、クラブヘッドが美観上より魅力的になり、それにより、プレーヤに信頼を植え付け、さらには、薄いトップラインを有するゴルフクラブヘッドを通常使用しているプレーヤを引きつける。他の実施形態では、第１の面取り１０７ａおよび第２の面取り１０７ｂのいずれか、または両方が、トップ部分１０２から削除される。
【００２４】
図１ｄおよび図１ｅを参照すると、打撃面１１２は打撃面平面１１３にある。本体１０１はまた、前部凹部を有し、打撃面挿入物１１４は前部凹部に配置されて、本体１０１に固定されている。打撃面挿入物１１４は、取り付けられた場合に、本体１０１の前面と同一平面上にあり、したがって、打撃面平面１１３内にある前面を有する。一部の実施形態では、打撃面挿入物１１４は、溶接により本体１０１に固定される。他の実施形態では、打撃面挿入物１１４は、例えば、圧入プロセスと接着との組み合わせで固定することができる。打撃面挿入物１１４は、任意の金属、ポリマー、セラミック、繊維強化ポリマー、またはそれらの任意の組み合わせで構成することができる。例えば、打撃面挿入物１１４は、４３１ステンレス鋼、１７−４ステンレス鋼などのステンレス鋼、チタン、または６−４チタンなどのチタン合金で構成することができる。本体１０１と同様に、打撃面挿入物１１４は、例えば、鋳造、フライス、切削、または鍛造加工のいずれか、あるいはそれらの任意の組み合わせで形成することができる。
【００２５】
図１ｅを参照すると、補助凹部１０５は、後部空洞１０３と交差し、後部空洞１０３から外側に延びて、本体１０１のヒール部分１０６に近接している。さらに、トウ部分１０８に近接して、補助凹部１０５は、後部空洞１０３からトウ部分１０８に向かって延び、後部空洞１０３と交差している。この実施形態では、およびこの特定の断面では、後部挿入物１１６は、完全に後部空洞１０３内に配置されている。一方、代替の実施形態では、後部挿入物１１６は、ヒール部分１０６に近接して、主または後部空洞１０３の補助凹部１０５内に少なくとも部分的に延びる。他の実施形態では、後部挿入物１１６は、ヒール部分１０６において、主または後部空洞１０３の補助凹部１０５内に完全に延びる。さらに、後部空洞１０３および補助凹部１０５の位置に対する後部挿入物１１６の位置は、断面間で（例えば、第１の水平断面と、第１の水平断面から垂直方向に離間した第２の水平断面との間で）変わることがある。例えば、一部の実施形態では、（フェースセンタを通る）Ａ−Ａ’断面のクラブヘッド構成を有するのに加えて、クラブヘッドは、Ａ−Ａ’断面に対して平行であり、Ａ−Ａ’断面から垂直方向に５ｍｍだけ離間し、後部挿入物の一部分を通る第２の断面において、後部挿入物が補助凹部１０５内に延びるように構成される。
【００２６】
図２を参照すると、ゴルフクラブヘッド１００の様々な構成要素が分解図で示されている。具体的には、本体１０１が、打撃面挿入物１１４と後部挿入物１１６との間にあるとして示されている。図２ａに示すように、正面から全体的に見て、本体１０１がさらに詳細に示されている。ゴルフクラブヘッド１００の本体１０１の前部部分１０９は、陥凹した、または段の付いた取付面２０３を含む。取付面２０３はほぼ平面状であり、打撃面挿入物が溶接され得る領域を形成している。取付面は、ヒール部分１０６に近接してフランジ部１２４を形成している。フランジ部１２４は、取付面２０３の一部に相当する前面１２４ａおよび後面１２４ｂ（図２を参照のこと）を有する。フランジ部１２４は、トップ
部分１０２およびソール部分１０４に近接して終端している。代替の実施形態では、フランジ部１２４は、トップ部分１０２、ソール部分１０４、およびトウ部分１０８のいずれかに配置される。一部の実施形態では、フランジ部１２４は、打撃面挿入物１１４が配置される領域を囲んで連続的に延びる。一部の実施形態では、複数の分離したフランジ部が、打撃面挿入物１１４が配置される領域の周縁のまわりに延びる。そのような分離したフランジ部は離間することができるので、クラブヘッドの質量特性をさらに改善するために補足質量の位置を変えることができる。
【００２７】
図３および図３ａを参照すると、ゴルフクラブヘッド１００がＡ−Ａ’断面で示されている。Ａ−Ａ’断面は、後部挿入物１１６の一部分、および打撃面１１２のフェースセンタ４０３を通る。打撃面挿入物１１４は、前面１１４ａおよび前面１１４ａとは反対側の後面１１４ｂを含む。示すように、打撃面挿入物１１４は、本体１０１の取付面２０３に固定され、後部挿入物１１６は、打撃面挿入物１１４の後面１１４ｂおよびフランジ部１２４の後面１２４ｂの１つまたは複数に固定されている。代替の実施形態では、後部挿入物１１６は、打撃面挿入物１１４およびフランジ部１２４の１つだけに固定される。しかし、後部挿入物１１６の範囲を打撃面挿入物１１４の後面１１４ｂによって画定されるほぼ平面状の領域に制限することで、後部挿入物１１６の効果、例えば、その制振能力が限定される。後面１２４ｂは、本来平坦であるとして図示しているが、段付きであってよいし、または、例えば、後部挿入物１１６が相補的に構成され得る何らかの他の形状を有してもよい。一部の実施形態では、後部挿入物１１６は、後部空洞１０３の補助凹部１０５内に延びるか、または単に後部空洞１０３内だけに存在することができる。
【００２８】
図３および図３ａに示すように、ゴルフクラブヘッド１００は、上記に定義した基準位置にある場合に、打撃面１１２のフェースセンタ４０３を通る架空の垂直中心面４０１を有する。一部の実施形態では、垂直中心面４０１とフランジ部１２４の最も中心寄りの縁部３０１との間の最小距離Ａは、０．０５インチ〜約１．５インチ、より好ましくは、０．７５インチ〜１．２５インチの範囲にあり、最も好ましくは、約１．０インチである。垂直中心面４０１と取付面２０３の最もヒール寄りの限界との間の最小距離Ｂと距離Ａとの間の差は、約０．０５インチ〜約０．２５インチ、より好ましくは、約０．０８インチ〜約０．１５インチの範囲にある。
【００２９】
一部の実施形態では、同様の断面で測定した距離Ｂと距離Ａとの間の差は、ゴルフクラブヘッド１００の関連セット、例えば、３番アイアンからサンドウェッジまで含むアイアンセットのうちの少なくとも２つのクラブヘッド間で等しい。一部の実施形態では、距離Ａと距離Ｂとの差は、関連セットのうちの少なくとも３つのクラブヘッド間で等しく、任意選択で、関連セット全体にわたって各クラブヘッド間で等しい。代替の実施形態では、距離Ｂと距離Ａとの間の差は、ゴルフクラブヘッド１００の関連セット全体にわたって、例えば、クラブヘッドロフト角の線形または曲線関数として一定か、またはランダムに変化する。
【００３０】
上記のように、後部挿入物１１６は、打撃面挿入物１１４の後面１１４ｂ、および／またはフランジ部１２４の後面１２４ｂに固定されるように構成されている。取り付けられた場合に、後部挿入物１１６の最もヒール寄りの限界１１６ａは、垂直中心面４０１から最小距離Ｃにある。距離Ｃは、距離Ｂ未満であるのが好ましい。これは、打撃面挿入物１１４の有益な材料特性を最も大きな存在可能領域にわたって最大限にし、その一方で、後部挿入物１１６の範囲を好ましくない動的励起を最も受けやすい領域に限定し、それにより、自由裁量重量を最大限にしようとすることによる。一方、他の実施形態では、距離Ｃは距離Ｂより大きい。
【００３１】
図３および図３ａを参照すると、Ａ−Ａ’断面では、周縁重量要素１１７は、ヒール部
分１０６に近接したヒール拡張部１２６およびトウ部分１０８に近接したトウ拡張部１２８を形成している。ヒール拡張部１２６は、垂直中心面４０１に最も近いヒール拡張部１２６上の点である、最も中心寄りの点１３０（図３ａを参照のこと）を含む。ヒール拡張部１２６は、垂直中心面４０１から最小距離Ｄだけ横方向に離間している。ヒール部分１０６に近接した補助凹部１０５は、最もヒール寄りの点１３２を含む。最もヒール寄りの点１３２は、垂直中心面４０１から最小横方向距離Ｅだけ離間している。距離Ｄは、距離Ｅ未満であるのが好ましい。さらに、距離Ｃは距離Ｅ以下であるのが好ましく、距離Ｃは距離Ａより大きいことに留意されたい。一部の実施形態では、距離Ｃは距離Ａより大きいが、距離Ｂ未満である。そのような構成は、後部挿入物１１６を補助凹部１０５内に入れる必要がないこととから製造における複雑さを軽減し、後部挿入物１１６の位置決めの際のより良好な視認性を可能にする。一方、代替の実施形態では、後部挿入物１１６は、補助凹部１０５内に少なくとも部分的に延びるように構成され、その結果、距離Ｃが距離Ｄより大きい。この構成は、後部挿入物１１６、打撃面挿入物１１４、および本体１０１の組み合わせの継ぎ目のない外観を形成するのに有利であり得る。
【００３２】
フランジ部１２４の後面１２４ｂはまた、ゴルフクラブヘッド１００が基準位置にある場合に、最下部限界から最上部限界までの最大高さを有する。最大高さは、ホーゼル面１２１に対して平行な平面内で垂直方向に測定される。一部の実施形態では、最大高さは、ゴルフクラブヘッド１００の関連セット全体にわたって一定であっても変わってもよい。例えば、後面１２４ｂの最大高さは、約０．２５〜約０．７５インチの範囲をとることができる。他の実施形態では、後面１２４ｂの最大高さは、約０．４５〜約０．６５インチの範囲をとることができる。
【００３３】
様々な実施形態によれば、フランジ部１２４は、前面、すなわち、取付面２０３と後面１２４ｂとの間の厚さを有する。一部の実施形態では、厚さは、ゴルフクラブヘッドの関連セット全体にわたって一定であっても変わってもよい。例えば、厚さは、約０．０２インチ〜約０．０８インチの範囲をとることができる。厚さは、一部の実施形態では、関連セットの少なくとも２つ、任意選択で３つのゴルフクラブヘッドの間で変わる。そのような一部の実施形態では、厚さは、ロフト角とともに線形的に、または曲線的に変わる。一方、代替の実施形態では、厚さは、セット全体にわたって一定とすることができる。例えば、厚さは、ゴルフクラブヘッドの関連セット全体にわたって約０．０５９インチで一定に設定することができる。
【００３４】
図４は、ゴルフクラブヘッド、例えば、上記のゴルフクラブヘッド１００の製造方法６００を示すフローチャートである。様々な実施形態によれば、その工程は、オペレータ、またはゴルフクラブヘッドの製造に関連するコンピュータ可読コードを実行するように構成されたプロセッサおよびメモリを含むチップセットにより実施することができる。ステップ６０１で、前部部分１０９、後部部分１１１、トップ部分１０２、ソール部分１０４、ヒール部分１０６、トウ部分１０８、および前部部分１０９から後部部分１１１に向かって延びる前部の凹部２０１を本体１０１が有するようにすることで本体１０１を形成する。また、任意選択で、本体１０１が、トップ部分１０２に配置された複数の面取りを有するようにすることができる。次いで、ステップ６０３で、凹部２０１が、少なくとも、本体１０１のヒール部分１０６に近接して、フランジ部１２４の一部分を形成する、陥凹した平面状の取付面２０３を含むようにし、後部部分１１１が、トップ部分、ソール部分、ヒール部分、およびトウ部分を有する周縁重量要素１１７を含むようにする。次に、ステップ６０５で、打撃面挿入物１１４を、例えば、溶接プロセスによって、凹部２０１内で本体１０１の前部部分１０９と同一平面上にあるように固定し、それによって、ほぼ平面状の打撃面１１２を形成する。打撃面挿入物１１４が、前面１１４ａおよび後面１１４ｂを有するようにする。打撃面１１２はフェースセンタ４０３を規定する。打撃面挿入物１１４は、架空の打撃面平面１１３とほぼ同一平面上にある。
【００３５】
工程はステップ６０７に進み、ステップ６０７で、周縁重量要素１１７および打撃面挿入物１１４の後面１１４ｂによって少なくとも部分的に範囲を限定される主または後部空洞１０３を形成する。次いで、ステップ６０９で、後部挿入物１１６を打撃面挿入物１１４の後面１１４ｂに固定する。一部の実施形態では、後部挿入物１１６が、本体１０１および打撃面挿入物１１４の後面１１４ｂと接合するように構成された１つまたは複数の段付き部分を有するようにする。
【００３６】
ゴルフクラブヘッド１００が基準位置にある場合に、架空の垂直中心面４０１は、打撃面挿入物１１４のフェースセンタ４０３を通る。後部挿入物１１６の一部分を通り、任意選択でフェースセンタ４０３を通る架空の水平面（例えば、Ａ−Ａ’断面）において、後部挿入物１１６は、最もヒール寄りの点１１６ａと、最もヒール寄りの点１１６ａとは反対側の最もトウ寄りの点１１６ｂと含み、後部挿入物１１６の最もヒール寄りの点１１６ａは、フランジ部１２４と垂直中心面４０１との間の最小距離Ｂよりも遠い距離Ｃだけ垂直中心面４０１から離間する。さらに、主または後部空洞１０３の補助凹部１０５として図示されているように、周縁重量要素１１７のヒール拡張部１２６に近接して、後部空洞１０３が前方向にヒールに向かって延びる。一部の実施形態では、これは、前方向に広がる後部空洞１０３を有することで生じる。あるいは、またはそれに加えて、補助凹部１０５は、後部空洞１０３と交差し、後部空洞１０３から外側に延びる。
【００３７】
本発明が、現時点で好ましい本発明の態様に関連して説明されたが、次に続く添付の特許請求の範囲に提示のない限り、上記によって限定されないことを意図される本発明の趣旨および範囲から逸脱することなく、様々な変更形態、修正形態、および均等物による代替を行うことができると当業者には分かるであろう。さらに、本発明の特徴が、特許請求の範囲の中で特定の組み合わせで示されるが、これらの特徴は、任意の組み合わせおよび順番で構成できることが企図される。
【符号の説明】
【００３８】
１００  ゴルフクラブヘッド
１０１  本体
１０２  トップ部分
１０３  後部空洞
１０４  ソール部分
１０５  補助凹部
１０６  ヒール部分
１０８  トウ部分
１０９  前部部分
１１０  ホーゼル
１１１  後部部分
１１２  打撃面
１１３  架空の打撃面平面
１１４  打撃面挿入物
１１６  後部挿入物
１１６ａ  最もヒール寄りの点
１１６ｂ  最もトウ寄りの点
１１７  周縁重量要素
１１８  地面
１２０  ホーゼル軸
１２１  架空のホーゼル面
１２２  架空の水平線
１２４  フランジ部
１２５  スコアライン
１２６  ヒール拡張部
１２８  トウ拡張部
２０１  前部凹部
２０３  取付面
４０１  架空の垂直中心面
４０３  フェースセンタ
【図１ａ】
2014033968.tif 000003
【図１ｂ】
2014033968.tif 000004
【図１ｃ】
2014033968.tif 000005
【図１ｄ】
2014033968.tif 000006
【図１ｅ】
2014033968.tif 000007
【図１ｆ】
2014033968.tif 000008
【図２】
2014033968.tif 000009
【図２ａ】
2014033968.tif 000010
【図３】
2014033968.tif 000011
【図３ａ】
2014033968.tif 000012
【図４】
2014033968.tif 000013